(57)【要約】  【課題】ＩＣカード等カード運用システムにおいて、カード使用者が紛失または盗難をカード発行者側に届け出てから当該カードの無効化処理が完了するまでの時間を短縮すること、および、カードに登録されているアプリケーションソフトのバージョンアップ等を迅速に行う装置および方法を提供することを目的とした。  【解決手段】カード使用者側の端末の電源投入時、または端末にカードを挿入した時点で当該端末をカード発行者サーバに接続し、ホットリストの内容にしたがって、カードの無効化、あるいは、カードに搭載されているアプリのバージョンアップ等を自動的に実行出来るようにした。【選択図】図１
2006331078.tif 000002
【特許請求の範囲】
【請求項１】
複数の無線携帯端末と、これら各無線携帯端末とを結ぶ無線通信系を含む通信経路と、前記複数の無線携帯端末を統括管理するカード発行者サーバとで形成されるＩＣカード運用システムにおいて、
前記カード発行者サーバは前記カード運用システムに加入している各ＩＣカードのＩＤと、各ＩＣカードになすべき処理を含む情報が記録されているホットリストとを有しており、
前記複数の無線携帯端末は、各々が固有のＩＤを有するＩＣカードと組み合わせて使用し、かつ、該無線携帯端末はその電源が投入された時、または前記ＩＣカードが挿入された時に、該ＩＣカードを自動的に前記カード発行者サーバに前記通信経路を経由して接続する通信手段と、
前記ＩＣカードについて少なくともカード無効化処理を含むカードの記憶内容を変更する必要が生じた場合、前記カード発行者サーバから前記無線携帯端末に挿入されているＩＣカードに記録されている内容を、前記カード発行者サーバに記録されているホットリストの内容に従って変更処理するＩＣカードの記録内容変更手段とを有していることを特徴とするＩＣカード運用システム。
【請求項２】
請求項１に記載のＩＣカード運用システムにおいて、
前記無線携帯端末は、
時間計測手段を有し、
前記通信手段は、前記ＩＣカードが前記無線携帯端末に挿入されている場合には、前記時間計測手段により得られた予め定められた時間間隔毎に、前記ＩＣカードを前記カード発行者サーバに前記通信経路を経由して接続することを特徴とするＩＣカード運用システム。
【請求項３】
カード発行者サーバにより複数の無線携帯端末に挿入されているＩＣカードを無線通信系経由で統括管理するＩＣカード運用方法において、
前記無線携帯端末の電源が投入された時、または前記ＩＣカードが前記無線携帯端末に挿入された時、該ＩＣカードは該無線携帯端末および前記無線通信系を経由して前記カード発行者サーバに自動的に接続され、
前記カード発行者サーバに記録されているホットリストの内容にしたがって前記ＩＣカードの無効化処理を含む当該ＩＣカードの記録内容を記録内容変更手段により変更処理を実行することを特徴とするＩＣカード運用方法。
【請求項４】
請求項３に記載のＩＣカード運用方法において、
前記無線携帯端末の電源が投入された時、または前記ＩＣカードが該無線携帯端末に挿入された時に、該無線携帯端末に内蔵の時間計測手段を始動させ、予め定められた時間間隔で前記ＩＣカードを前記カード発行者サーバに接続し、
前記カード発行者サーバに記録されているホットリストの内容に従い前記ＩＣカードの無効化処理を含む当該ＩＣカードの記録内容の変更処理を実行することを特徴とするＩＣカード運用方法。
【発明の詳細な説明】
【技術分野】
【０００１】
本発明は、ＩＣカードの運用システムにおける加入ＩＣカードの記憶内容の変更およびその運用方法に関する。
【背景技術】
【０００２】
ＩＣカードの管理運用システムにおいては、当初はＩＣカードの紛失または盗難の届出を受けて当該ＩＣカードの無効化をカード発行者側で事務処理として実行する方法が行われていた。この方法では、カード使用者から届出が出されて以後実際に無効化処理が完了するまで時間を要していた。
【０００３】
この問題を解決する方法として、下記特許文献１においては、システムのＩＤ管理側で毎日の全ＩＣカードの利用データを収集して利用状況を解析し、予め想定されている不正利用を早期に検出する方法が開示されている。ここで、想定外の不正利用に対しては、不正利用の可能性を検知し、当該検知されたカードに対してはカードの利用履歴からオペレータが判断して不正利用を特定する。この特定された新たな不正利用法に対応するように不正検知のロジックを修正する。このようにして検知された不正利用されたカードは無効化され、無効カードＩＤのリスト（ネガリスト）に登録され、無効化されたカードのＩＤ情報はＩＤ管理システムの管理対象の各端末に配信される。
【０００４】
また、ＩＣカードによる大容量化に伴いマルチアプリケーションを搭載したＩＣカードが利用されるようになって来た。この場合、カード発行者と各アプリケーションのサービス提供者とが分離されるようになり、ＩＣカードの適正な管理運用が困難になる場合があった。この対策として下記特許文献２においては、ＩＣカードのＩＤ等の識別情報およびＩＣカードに対して実行すべき処理内容（ホットリスト）を含む登録要求をＩＣカード管理のサーバであるホットリスト管理機関に送信する。この送信され、新たに登録を受けたホットリスト管理機関は各端末にこのホットリストを配信し、何れかの端末にＩＣカードが接続されると、当該ＩＣカードが上記のホットリストに登録されているものであることを確認した後、当該ホットリスト情報に含まれている処理を実行する。
【特許文献１】特開２０００−２４２７４９号公報
【特許文献２】特開２００２−２９８０９６号公報
【発明の開示】
【発明が解決しようとする課題】
【０００５】
前記従来の方法によれば、カード発行者側でＩＣカード使用者による紛失または盗難の届け出を受けてから、オペレータによる当該カードの無効化処理が行われ、さらにカード利用端末に無効化すべきカードＩＤのリストであるネガリストとして配信されるまでにある程度の時間を必要としていた。このために、このカード利用端末へのネガリストの配信までに要する処理時間の間に紛失または盗難カードが不正に利用されてしまう可能性があった。
【０００６】
また、ＩＣカードに搭載されているアプリケーションソフト（以下、アプリと略記する）のバージョンアップ等に関しても、カード発行者サーバの管理対象となる全カードに対して早急に実施することが要求される。従来ではこのような処理を実施するための専用端末にカードを挿入してバージョンアップ処理を行わなければならず、このような処理を迅速に実施することは困難であった。
【０００７】
本発明においては、このような問題を解決し、カード発行者側でのＩＣカードの無効化処理およびカード使用者側でのアプリバージョンアップ等の迅速化を実現することを目的としている。
【課題を解決するための手段】
【０００８】
上記目的を達成するために、本発明の請求項１においては、複数の無線携帯端末と、これら各無線携帯端末とを結ぶ無線通信系を含む通信経路と、前記複数の無線携帯端末を統括管理するカード発行者サーバとでＩＣカード運用システムを形成している。ここで、前記カード発行者サーバは前記カード運用システムに加入している各ＩＣカードのＩＤと、各ＩＣカードになすべき処理が記録されているホットリストを有している。前記複数の無線携帯端末は、各々が固有のＩＤを有するＩＣカードとそれぞれ組み合わせて使用し、かつ、該無線携帯端末はその電源が投入された時、または前記ＩＣカードが無線携帯端末に挿入された時に自動的に前記カード発行者サーバに前記通信経路を経由して接続される通信手段を有している。また、前記ＩＣカードについて少なくともカード無効化処理、或いはＩＣカードに記憶されているアプリのバージョンアップ等の内容変更を行う必要が生じた場合、前記カード発行者サーバから前記無線携帯端末に挿入されているＩＣカードに記録されている内容を、前記カード発行者サーバに記録されているホットリストの内容に従って変更処理を実行するＩＣカードの記録内容変更手段を有しているＩＣカード運用システムについて規定している。
【０００９】
請求項２においては、請求項１に記載のＩＣカード運用システムにおいて、前記無線携帯端末は、時間計測手段を有しており、前記通信手段は、前記ＩＣカードが前記無線携帯端末に挿入されている場合には、前記時間計測手段により得られた予め定められた時間間隔毎に、前記ＩＣカードを前記カード発行者サーバに前記通信経路を経由して接続する該時間計測手段により得られた予め定められた時間間隔毎に前記カード発行者サーバに前記通信経路を経由して接続するＩＣカード運用システムについて規定している。
【００１０】
請求項３は、カード発行者サーバにより複数の無線携帯端末に挿入されているＩＣカードを無線通信系経由で統括管理するＩＣカード運用方法に関する。すなわち、前記無線携帯端末の電源が投入された時、または前記ＩＣカードが前記無線携帯端末に挿入された時、該ＩＣカードは該無線携帯端末および前記無線通信系を経由して前記カード発行者サーバに自動的に接続され、前記カード発行者サーバに記録されているホットリストの内容に従って前記ＩＣカードの例えば無効化処理またはアプリケーションソフトのバージョンアップ等カードの内容に関する変更の処理を実行するＩＣカード運用方法について規定している。
【００１１】
請求項４においては、請求項３に記載のＩＣカード運用方法において、前記無線携帯端末の電源が投入された時、または前記ＩＣカードが該無線携帯端末に挿入された時に、該無線携帯端末に内蔵の時間計測手段を始動させ、予め定められた時間間隔毎に前記ＩＣカードを前記カード発行者サーバに接続し、前記カード発行者サーバに記録されているホットリストの内容に従い前記ＩＣカードの例えば当該カードの無効化等のカード記録内容の変更処理、または該ＩＣカードに記録されているアプリケーションソフトのバージョンアップ処理等を実行するＩＣカード運用方法について規定している。
【発明の効果】
【００１２】
本発明により、カード使用者がカードの紛失または盗難の被害にあったことをカード発行者に届出て、カード発行者サーバが当該カードの無効化処理を実行した後、当該カードを第三者が不正使用を意図してカードを無線携帯端末に挿入しても、無線携帯端末が自動的にカード発行者サーバに接続することにより、その時点で当該カードは無効化される。このため、当該カードが無効化されたことをカード発行者が店舗等に設置されている全カード利用端末に配信する前にいち早くカードが無効化されるため、従来問題となっていた全カード利用端末へのネガリストの配信が完了するまでに当該カードが第三者により不正使用される可能性を減少させることが出来、不正使用による被害を低減できるようになる。
【００１３】
また、ＩＣカードが挿入された無線携帯端末のカード発行者サーバへの接続を予め定められた時間間隔で頻繁に実行することによりカード発行者による全カード利用端末へのネガリストの配信に対して、少ないロスタイムで対応できるため第三者による不正使用の被害を低減し得る。
【００１４】
また、本発明によれば無線携帯端末はカード使用者の意図無しにカード発行者サーバに自動的に接続されるため、ＩＣカードに搭載されているアプリケーションソフトのバージョンアップ等も専用端末を使用することなく自動的にかつ迅速に実行されることになり、カード使用者の使い勝手を向上させることが出来る。
【発明を実施するための最良の形態】
【００１５】
以下、本発明を無線携帯端末に適用した場合を例に図により説明する。  
図１は本発明によるＩＣカード運用システムの構成例で、無線携帯端末Ａ１１１、Ｂ１１２、‥、基地局または交換局１２を含む通信手段となる無線通信経路、カード発行者側に設置されているサーバ１３で構成されている。図１において、無線携帯端末Ａ１１１，Ｂ１１２に挿入されるＩＣカードはそれぞれに識別子である固有のＩＤ（Ｘ１，Ｘ２等）が付されており、ＩＣカードの用途により使用目的に応じた幾つかのアプリケーションソフトＡＰ１，ＡＰ２，‥（以下、アプリと略記する）がそれぞれのＩＣカードに記録されている。
【００１６】
サーバ１３には本運用システム全加入者のＩＣカードの内、何等かの処理を行うカードのＩＤと、処理内容がホットリストとして登録されている。ここで、ホットリストにはカード発行者側サーバ１３の管理下にある各ＩＣカードで、何等かの処理を行うカードのＩＤと、当該ＩＣカードに対して成すべき例えば無効化、アプリのバージョンアップ等に関する各処理内容が登録されている。これら登録事項はカード発行者サーバ１３や無線携帯端末に組み込まれている記録内容変更手段により変更処理が実行される。また、これら登録内容は、登録されている処理内容が実施されたものから順に削除される。なお、ホットリストに登録されている処理としては、上記のカード無効化／アプリのバージョンアップ以外にも、アプリの搭載／削除／無効化等がある。
【００１７】
図２にホットリストの例を示す。この例においては、カードＩＤ“Ｘ１”に対しては無効化、カードＩＤ“Ｘ２”に対してはアプリ３（ＡＰ３）をＶｅｒ．３にバージョンアップ、カードＩＤ“Ｘ４”に対してはアプリ１（ＡＰ１）をＶｅｒ．２に処理を行うことを示しており、カードＩＤ“Ｘ３”に対しては内容変更処理が行われないで現状のままであることを示している。
【００１８】
図３に本発明によるＩＣカード運用システムのデータ処理の流れを図１の無線携帯端末Ａ１１１（ＩＣカード１１３）の場合を例に示す。図３において、ＩＣカード使用者が使用ＩＣカード１１３を自分の無線携帯端末Ａ１１１のスロットに挿入、または無線携帯端末Ａ１１１の電源をＯＮにする（ステップ；Ｓ０１）。これにより、無線携帯端末Ａ１１１は上記動作を感知し、この時、無線携帯端末Ａ１１１に内蔵の時間計測手段であるタイマも始動し、カード発行者サーバ１３への接続のタイミング設定の計測を始める（ステップ；Ｓ０２）。
【００１９】
上記のようにして、カード発行者サーバ１３への接続が初回の接続か否かが判定され、初回の場合（ステップ；Ｓ０３／ＹＥＳ）は直ちにホットリストに記載があるか否かの照合を実行するため、まず、カード発行者サーバ１３に接続される（ステップ；Ｓ０５）。また、一度アプリのバージョンアップ等の処理を実行し（ステップ；Ｓ０７）、次の処理を行うべくステップ；Ｓ０３に戻ってきた場合は、所定の時間間隔後に処理を開始することになる（ステップ；Ｓ０３／ＮＯ）。ここで、所定の時間経過したところ（ステップ；Ｓ０４；ＹＥＳ）で再びカード発行者サーバ１３に接続する（ステップ；Ｓ０５）。これら各接続においては、ホットリストに記載されている処理が終了したところで自動的にサーバとの接続は遮断される。
【００２０】
タイマ始動から所定の時間に到達するまで計測を続け（ステップ；Ｓ０４／ＮＯ）、所定の時間が経過したところ（ステップ；Ｓ０４／ＹＥＳ）でカード発行者サーバ１３に自動的に接続する（ステップ；Ｓ０５）。なお、この時間計測はさらに継続されるが、処理は先へ進められ、当該ＩＣカード１１３の情報がホットリストに記載されているか否かがチェックされる。ここで記載されていない場合（ステップ；Ｓ０６／ＮＯ）は、現ＩＣカード１１３の内容変更がないことを示しているから、（ステップ；Ｓ０３）の入力に戻る。これにより、ＩＣカード１１３は所定の時間間隔で定期的にカード発行者サーバ１３へのアクセスするを繰り返すことが可能となり、ＩＣカード１１３の無効化、アプリのバージョンアップ等ＩＣカード１１３の状況変化に即応することが可能となる。
【００２１】
ホットリストに記載がある場合（ステップ；Ｓ０６／ＹＥＳ）は、カード発行者サーバ１３と接続された際にホットリストに記載されている内容（例えば、ＩＣカードの無効化、バージョンアップ等）について処理（ステップ；Ｓ０７）が実行される。
【００２２】
以上述べた実施の形態の例においては、無線携帯端末１１１の電源ＯＮとＩＣカード１１３の挿入とが行われた後に所定の時間間隔でカード発行者サーバにＩＣカード１１３を繰り返し接続する方法の例について開示したものであるが、無線携帯端末１１１の電源ＯＮのみでサーバ１３に接続する場合と、所定の時間間隔でサーバ１３に接続する方法とをそれぞれ独立に実行することも可能であり、本実施の形態で述べたＩＣカード運用システムおよびＩＣカード運用方法に限定するものではない。
【図面の簡単な説明】
【００２３】
【図１】本発明によるＩＣカード運用システムの構成を示すブロック図。
【図２】ホットリストの例を示す構成図。
【図３】本発明における信号処理過程を示すフロー図。
【符号の説明】
【００２４】
１１１：無線携帯端末Ａ          １１２：無線携帯端末Ｂ
１１３，１１４：ＩＣカード        １２：基地局
１３：カード発行者サーバ  
ＡＰ１〜ＡＰ４：アプリケーションソフト
【図１】
2006331078.tif 000003
【図２】
2006331078.tif 000004
【図３】
2006331078.tif 000005